(57)【要約】【課題】この発明は、視聴番組に対する音声ＥＳの選択と音声多重化された音声の選択とを簡易な切替操作で容易に実行することができるようにし、ユーザにとっての取り扱いを便利にし得るようにした音声切替装置、音声切替方法及び放送受信装置を提供することを目的としている。【解決手段】取得した番組情報（ＥＩＴ，ＰＭＴ）に基づいて選局中の番組に含まれる音声ＥＳの数及び音声ＥＳにおける音声多重化の有無を判別し、当該番組が有する音声の全種別を得る判別手段（６３ｅ）と、得られた音声の全種別を音声切替操作が行なわれる毎に予め設定された順序で循環的に切り替える切替手段（１７，６３ｆ）と、切り替えられた音声の種別を表示する表示手段（１４，６３ｆ）とを備える。【選択図】      図２
2009200727.tif 000002
【特許請求の範囲】
【請求項１】
番組情報を取得する取得手段と、
前記取得手段で取得された番組情報に基づいて、選局中の番組に含まれる音声ＥＳの数及び前記音声ＥＳにおける音声多重化の有無を判別し、当該番組が有する音声の全種別を得る判別手段と、
前記判別手段で得られた音声の全種別を、音声切替操作が行なわれる毎に、予め設定された順序で循環的に切り替える切替手段と、
前記切替手段により切り替えられた音声の種別を表示する表示手段とを具備することを特徴とする音声切替装置。
【請求項２】
前記切替手段は、前記音声ＥＳが１つで、音声多重化されていない場合、その音声ＥＳの主音声を選択し、前記音声ＥＳが１つで、音声多重化されている場合、その音声ＥＳについて、主音声、副音声、主音声＋副音声の順序で循環的に切り替えることを特徴とする請求項１記載の音声切替装置。
【請求項３】
前記切替手段は、
２つの音声ＥＳ１，２が存在し、共に音声多重化されていない場合、各音声ＥＳ１，２の主音声を交互に切り替え、
２つの音声ＥＳ１，２が存在し、音声ＥＳ１が音声多重化されておらず、音声ＥＳ２が音声多重化されている場合、音声ＥＳ１の主音声１、音声ＥＳ２の主音声２、副音声２、主音声２＋副音声２の順序で循環的に切り替え、
２つの音声ＥＳ１，２が存在し、音声ＥＳ１が音声多重化されており、音声ＥＳ２が音声多重化されていない場合、音声ＥＳ１の主音声１、副音声１、主音声１＋副音声１、音声ＥＳ２の主音声２の順序で循環的に切り替え、
２つの音声ＥＳ１，２が存在し、共に音声多重化されている場合、音声ＥＳ１の主音声１、副音声１、主音声１＋副音声１、音声ＥＳ２の主音声２、副音声２、主音声２＋副音声２の順序で循環的に切り替えることを特徴とする請求項１記載の音声切替装置。
【請求項４】
前記切替手段は、３つ以上の音声ＥＳが存在し、共に音声多重化されていない場合、各音声ＥＳの主音声を予め設定された順序で循環的に切り替えることを特徴とする請求項１記載の音声切替装置。
【請求項５】
前記切替手段は、３つ以上の音声ＥＳが存在し、その中の１つまたは複数に音声多重化された音声ＥＳが含まれている場合、各音声ＥＳの中から１つの音声ＥＳを選択させ、その選択された音声ＥＳが音声多重化されている場合、当該音声ＥＳについて主音声、副音声、主音声＋副音声を選択させるように、前記音声切替操作を行なわせることを特徴とする請求項１記載の音声切替装置。
【請求項６】
所望の放送番組を受信する受信手段と、
前記受信手段で受信した放送番組に関する番組情報を取得する取得手段と、
前記取得手段で取得された番組情報に基づいて、選局中の番組に含まれる音声ＥＳの数及び前記音声ＥＳにおける音声多重化の有無を判別し、当該番組が有する音声の全種別を得る判別手段と、
前記判別手段で得られた音声の全種別を、音声切替操作が行なわれる毎に、予め設定された順序で循環的に切り替える切替手段と、
前記切替手段により切り替えられた音声の種別を表示する表示手段と、
前記受信手段で受信した放送番組について、前記切替手段で切り替えられた種別の音声信号を生成する信号処理手段と、
前記信号処理手段で得られた音声信号を出力する出力手段とを具備することを特徴とする放送受信装置。
【請求項７】
番組情報を取得する第１の工程と、
前記第１の工程で取得された番組情報に基づいて、選局中の番組に含まれる音声ＥＳの数及び前記音声ＥＳにおける音声多重化の有無を判別し、当該番組が有する音声の全種別を得る第２の工程と、
前記第２の工程で得られた音声の全種別を、音声切替操作が行なわれる毎に、予め設定された順序で循環的に切り替える第３の工程と、
前記第３の工程により切り替えられた音声の種別を表示する第４の工程とを具備することを特徴とする音声切替方法。
【発明の詳細な説明】
【技術分野】
【０００１】
この発明は、例えばデジタルテレビジョン放送受信装置等に使用して好適する音声切替装置、音声切替方法及び放送受信装置に関する。
【背景技術】
【０００２】
周知のように、近年では、テレビジョン放送のデジタル化が推進されている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
このデジタルテレビジョン放送においては、映像や音声等のデータに、それぞれＭＰＥＧ（moving picture experts group）−２規格に準拠した方式により圧縮符号化処理を施してＥＳ（elementary stream）を生成し、その映像ＥＳと音声ＥＳとを多重化したＴＳ（transport stream）を送信している。
【０００４】
ところで、音声ＥＳは、１つのプログラム（番組）に対して複数を設定可能となっている。また、各音声ＥＳには、それぞれに音声多重化を図ることが可能である。このため、ユーザは、番組の視聴時に、所望の音声ＥＳを選択するとともに、その選択された音声ＥＳに対して、さらに、音声多重化されている音声の選択をも強いられることになる。
【０００５】
特許文献１には、映像及び音声情報を符号化してデジタル変調を行ない伝送するデジタル地上波放送、デジタルケーブル放送、ＮＴＳＣアナログ放送の混在した変調波を受信する場合、変調方式を自動判別して、違和感のないスムーズな画面切替が可能となるようにした多方式対応受信装置の構成が開示されている。
【特許文献１】特開２００１−２８５７５２号公報
【発明の開示】
【発明が解決しようとする課題】
【０００６】
そこで、この発明は上記事情を考慮してなされたもので、視聴番組に対する音声ＥＳの選択と音声多重化された音声の選択とを簡易な切替操作で容易に実行することができるようにし、ユーザにとっての取り扱いを便利にし得るようにした音声切替装置、音声切替方法及び放送受信装置を提供することを目的とする。
【課題を解決するための手段】
【０００７】
すなわち、この発明に係る音声切替装置は、番組情報を取得する取得手段と、取得手段で取得された番組情報に基づいて、選局中の番組に含まれる音声ＥＳの数及び音声ＥＳにおける音声多重化の有無を判別し、当該番組が有する音声の全種別を得る判別手段と、判別手段で得られた音声の全種別を、音声切替操作が行なわれる毎に、予め設定された順序で循環的に切り替える切替手段と、切替手段により切り替えられた音声の種別を表示する表示手段とを備えるようにしたものである。
【０００８】
また、この発明に係る音声切替方法は、番組情報を取得する第１の工程と、第１の工程で取得された番組情報に基づいて、選局中の番組に含まれる音声ＥＳの数及び音声ＥＳにおける音声多重化の有無を判別し、当該番組が有する音声の全種別を得る第２の工程と、第２の工程で得られた音声の全種別を、音声切替操作が行なわれる毎に、予め設定された順序で循環的に切り替える第３の工程と、第３の工程により切り替えられた音声の種別を表示する第４の工程とを備えるようにしたものである。
【０００９】
さらに、この発明に係る放送受信装置は、所望の放送番組を受信する受信手段と、受信手段で受信した放送番組に関する番組情報を取得する取得手段と、取得手段で取得された番組情報に基づいて、選局中の番組に含まれる音声ＥＳの数及び音声ＥＳにおける音声多重化の有無を判別し、当該番組が有する音声の全種別を得る判別手段と、判別手段で得られた音声の全種別を、音声切替操作が行なわれる毎に、予め設定された順序で循環的に切り替える切替手段と、切替手段により切り替えられた音声の種別を表示する表示手段と、受信手段で受信した放送番組について、切替手段で切り替えられた種別の音声信号を生成する信号処理手段と、信号処理手段で得られた音声信号を出力する出力手段とを備えるようにしたものである。
【発明の効果】
【００１０】
上記した発明によれば、選局中の番組に含まれる音声ＥＳの数及び音声ＥＳにおける音声多重化の有無を判別して、当該番組が有する音声の全種別を取得し、その取得した音声の全種別を音声切替操作が行なわれる毎に予め設定された順序で循環的に切り替えるようにしたので、視聴番組に対する音声ＥＳの選択と音声多重化された音声の選択とを簡易な切替操作で容易に実行することができるようになり、ユーザにとっての取り扱いを便利にすることができる。
【発明を実施するための最良の形態】
【００１１】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１２】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等を備えた平面パネル型ディスプレイである映像表示器１４、１対のスピーカ１５、操作部１６、リモートコントローラ１７から送信される操作情報を受ける受光部１８等が設置されている。
【００１３】
また、このデジタルテレビジョン放送受信装置１１には、例えばＳＤ（secure digital）メモリカード、ＭＭＣ（multimedia card）及びメモリスティック等の第１のメモリカード１９が着脱可能となっており、この第１のメモリカード１９に対して番組や写真等の情報の記録再生が行なわれるようになっている。
【００１４】
さらに、このデジタルテレビジョン放送受信装置１１には、例えば契約情報等の記録された第２のメモリカード［ＩＣ（integrated circuit）カード］２０が着脱可能となっている。そして、この第２のメモリカード２０に対して契約情報の再生が行なわれるようになっている。
【００１５】
また、このデジタルテレビジョン放送受信装置１１は、第１のＬＡＮ（local area network）端子２１、第２のＬＡＮ端子２２、ＵＳＢ（universal serial bus）端子２３及びＩＥＥＥ（institute of electrical and electronics engineers）１３９４端子２４を備えている。
【００１６】
このうち、第１のＬＡＮ端子２１は、ＬＡＮ対応ＨＤＤ専用ポートとして使用されるもので、接続されたＮＡＳ（network attached storage）であるＬＡＮ対応のＨＤＤ（hard disk drive）２５に対して、イーサネット（登録商標）により情報の記録再生を行なうために使用される。
【００１７】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができるようになる。
【００１８】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（personal computer）２８、デジタル放送受信機能を有するＨＤＤ内蔵のＤＶＤ（digital versatile disk）レコーダ２９等の機器を接続し、これらの機器と情報伝送を行なうために使用される。
【００１９】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２０】
さらに、この第２のＬＡＮ端子２２は、ハブ２６に接続されたブロードバンドルータ３１を介して、例えばインターネット等のネットワーク３２に接続可能であり、そのネットワーク３２を介してＰＣ３３や携帯電話３４等の各種情報端末と情報伝送を行なうために使用される。
【００２１】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２２】
さらに、上記ＩＥＥＥ１３９４端子２４は、例えば、それぞれがデジタル放送受信機能を有するＡＶ（audio video）−ＨＤＤ４１やＤ（digital）−ＶＨＳ（video home system）４２等をシリアル接続し、これらの機器と情報伝送を行なうために使用される。
【００２３】
図２は、上記したデジタルテレビジョン放送受信装置１１の主要な信号処理系を示している。すなわち、ＢＳ／ＣＳデジタル放送受信用のアンテナ４３で受信した衛星デジタル放送信号は、入力端子４４を介して衛星デジタル放送用のチューナ４５に供給されることにより、所望のチャンネルの放送信号が選局される。
【００２４】
そして、このチューナ４５で選局された放送信号は、ＰＳＫ（phase shift keying）復調器４６に供給されてＴＳ（transport stream）が復調される。このＴＳは、ＴＳ復号器４７に供給されてデジタルの映像信号及び音声信号等に復号化された後、信号処理部４８に出力される。
【００２５】
また、地上波放送受信用のアンテナ４９で受信した地上デジタルテレビジョン放送信号は、入力端子５０を介して地上デジタル放送用のチューナ５１に供給されることにより、所望のチャンネルの放送信号が選局される。
【００２６】
そして、このチューナ５１で選局された放送信号は、ＯＦＤＭ（orthogonal frequency division multiplexing）復調器５２に供給されてＴＳが復調される。このＴＳは、ＴＳ復号器５３に供給されてデジタルの映像信号及び音声信号に復号化された後、上記信号処理部４８に出力される。
【００２７】
また、上記地上波放送受信用のアンテナ４９で受信した地上アナログテレビジョン放送信号は、入力端子５０を介して地上アナログ放送用のチューナ５４に供給されることにより、所望のチャンネルの放送信号が選局される。そして、このチューナ５４で選局された放送信号は、アナログ復調器５５に供給されてアナログの映像信号及び音声信号に復調された後、上記信号処理部４８に出力される。
【００２８】
ここで、上記信号処理部４８は、ＴＳ復号器４７，５３からそれぞれ供給されたデジタルの映像信号及び音声信号に対して、選択的に所定のデジタル信号処理を施し、グラフィック処理部５６及び音声処理部５７に出力している。
【００２９】
また、上記信号処理部４８には、複数（図示の場合は４つ）の入力端子５８ａ，５８ｂ，５８ｃ，５８ｄが接続されている。これら入力端子５８ａ〜５８ｄは、それぞれ、アナログの映像信号及び音声信号を、デジタルテレビジョン放送受信装置１１の外部から入力可能とするものである。
【００３０】
そして、この信号処理部４８は、上記アナログ復調器５５及び各入力端子５８ａ〜５８ｄからそれぞれ供給されたアナログの映像信号及び音声信号を選択的にデジタル化し、そのデジタル化された映像信号及び音声信号に対して所定のデジタル信号処理を施した後、グラフィック処理部５６及び音声処理部５７に出力している。
【００３１】
このうち、グラフィック処理部５６は、信号処理部４８から供給されるデジタルの映像信号に、ＯＳＤ（on screen display）信号生成部５９で生成されるＯＳＤ信号を重畳して出力する機能を有する。また、このグラフィック処理部５６は、信号処理部４８の出力映像信号と、ＯＳＤ信号生成部５９の出力ＯＳＤ信号とを選択的に出力することや、両出力をそれぞれ画面の半分を構成するように組み合わせて出力することができる。
【００３２】
そして、グラフィック処理部５６から出力されたデジタルの映像信号は、映像処理部６０に供給される。この映像処理部６０は、入力されたデジタルの映像信号を、前記映像表示器１４で表示可能なフォーマットのアナログ映像信号に変換した後、映像表示器１４に出力して映像表示させるとともに、出力端子６１を介して外部に導出させる。
【００３３】
また、上記音声処理部５７は、入力されたデジタルの音声信号を、前記スピーカ１５で再生可能なフォーマットのアナログ音声信号に変換した後、スピーカ１５に出力して音声再生させるとともに、出力端子６２を介して外部に導出させる。
【００３４】
ここで、このデジタルテレビジョン放送受信装置１１は、上記した各種の受信動作を含むその全ての動作を制御部６３によって統括的に制御されている。この制御部６３は、ＣＰＵ（central processing unit）６３ａを内蔵しており、前記操作部１６からの操作情報を受け、または、リモートコントローラ１７から送出され前記受光部１８で受信した操作情報を受けて、その操作内容が反映されるように各部をそれぞれ制御している。
【００３５】
この場合、制御部６３は、主として、そのＣＰＵ６３ａが実行する制御プログラムを格納したＲＯＭ（read only memory）６３ｂと、該ＣＰＵ６３ａに作業エリアを提供するＲＡＭ（random access memory）６３ｃと、各種の設定情報及び制御情報等が格納される不揮発性メモリ６３ｄとを利用している。
【００３６】
また、この制御部６３は、カードＩ／Ｆ（interface）６４を介して、前記第１のメモリカード１９が装着可能なカードホルダ６５に接続されている。これによって、制御部６３は、カードホルダ６５に装着された第１のメモリカード１９と、カードＩ／Ｆ６４を介して情報伝送を行なうことができる。
【００３７】
さらに、上記制御部６３は、カードＩ／Ｆ６６を介して、前記第２のメモリカード２０が装着可能なカードホルダ６７に接続されている。これにより、制御部６３は、カードホルダ６７に装着された第２のメモリカード２０と、カードＩ／Ｆ６６を介して情報伝送を行なうことができる。
【００３８】
また、上記制御部６３は、通信Ｉ／Ｆ６８を介して第１のＬＡＮ端子２１に接続されている。これにより、制御部６３は、第１のＬＡＮ端子２１に接続されたＬＡＮ対応のＨＤＤ２５と、通信Ｉ／Ｆ６８を介して情報伝送を行なうことができる。この場合、制御部６３は、ＤＨＣＰ（dynamic host configuration protocol）サーバ機能を有し、第１のＬＡＮ端子２１に接続されたＬＡＮ対応のＨＤＤ２５にＩＰ（internet protocol）アドレスを割り当てて制御している。
【００３９】
さらに、上記制御部６３は、通信Ｉ／Ｆ６９を介して第２のＬＡＮ端子２２に接続されている。これにより、制御部６３は、第２のＬＡＮ端子２２に接続された各機器（図１参照）と、通信Ｉ／Ｆ６９を介して情報伝送を行なうことができる。
【００４０】
また、上記制御部６３は、ＵＳＢ Ｉ／Ｆ７０を介して前記ＵＳＢ端子２３に接続されている。これにより、制御部６３は、ＵＳＢ端子２３に接続された各機器（図１参照）と、ＵＳＢ Ｉ／Ｆ７０を介して情報伝送を行なうことができる。
【００４１】
さらに、上記制御部６３は、ＩＥＥＥ１３９４ Ｉ／Ｆ７１を介してＩＥＥＥ１３９４端子２４に接続されている。これにより、制御部６３は、ＩＥＥＥ１３９４端子２４に接続された各機器（図１参照）と、ＩＥＥＥ１３９４ Ｉ／Ｆ７１を介して情報伝送を行なうことができる。
【００４２】
ここにおいて、上記制御部６３は、音声判別部６３ｅ及び音声切替制御部６３ｆを備えている。このうち、音声判別部６３ｅは、現在選局している番組について、そこに含まれている音声ＥＳの数や、音声ＥＳにおける音声多重化の有無等を判別することにより、その番組の有する音声の全種別を取得するものである。この判別は、予め放送信号やネットワーク等を介して取得した番組情報であるＥＩＴ（event information table）またはＰＭＴ（program map table）等に含まれる音声情報に基づいて行なわれる。
【００４３】
さらに、上記音声切替制御部６３ｆは、詳細は後述するが、ユーザによる上記リモートコントローラ１７の操作により、先に音声判別部６３ｅで取得された音声の種別を選択的に切り替えるものである。この場合、音声切替制御部６２ｆは、リモートコントローラ１７の音声切替キー１７ｑを操作する毎に、現在選局している番組に含まれている音声の種別を、上記映像表示器１４に順次循環的に表示させている。
【００４４】
このため、ユーザは、リモートコントローラ１７の音声切替キー１７ｑを、所望の音声種別が表示されるまで操作するだけで、音声種別を選択することができる。これにより、視聴番組に対する音声ＥＳの選択と音声多重化された音声の選択とを、それぞれ別個に行なうことがなくなり、簡易な操作で容易に音声の切り替えを実行することができるようになる。
【００４５】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ、上記音声切替キー１７ｑ等が設けられている。
【００４６】
そして、このデジタルテレビジョン放送受信装置１１では、番組の視聴中にリモートコントローラ１７の音声切替キー１７ｑが操作されると、図４に示すように、映像表示器１４の画面中央下部に、現在選局している番組に含まれる音声の種別を表示するための音声種別表示領域７２が表示される。
【００４７】
ここで、例えば、現在選局している番組に含まれる音声が、１つの音声ＥＳを有し、かつ、その音声ＥＳに音声多重化が図られていない場合、その音声種別は、主音声のみとなる。
【００４８】
このため、音声種別表示領域７２には、図５に示すように、「主音声」なる表示が行なわれる。なお、主音声がステレオであれば、「主音声（ステレオ）」と表示することもできる。この場合、音声種別は１つしかないので、音声切替キー１７ｑが何度操作されても、音声種別表示領域７２の表示は、図５に示したままとなる。
【００４９】
また、現在選局している番組に含まれる音声が、１つの音声ＥＳを有し、かつ、その音声ＥＳに音声多重化が図られている場合、その音声種別は、主音声、副音声、主音声＋副音声の３種類となる。
【００５０】
このため、音声種別表示領域７２には、図６に示すように、音声切替キー１７ｑが操作される毎に「主音声」→「副音声」→「主音声＋副音声」→「主音声」のように３種類の音声種別が順次循環的に表示される。したがって、ユーザは、音声切替キー１７ｑを操作して所望の音声を選択することにより、その選択された音声を聴取することができる。
【００５１】
さらに、現在選局している番組に含まれる音声が、音声ＥＳ１と音声ＥＳ２との２つの音声ＥＳを有し、かつ、それぞれの音声ＥＳ１，２に共に音声多重化が図られていない場合、その音声種別は、音声ＥＳ１における主音声１と音声ＥＳ２における主音声２との２種類となる。
【００５２】
このため、音声種別表示領域７２には、図７に示すように、音声切替キー１７ｑが操作される毎に「主音声１」→「主音声２」→「主音声１」のように２種類の音声種別が交互に表示される。したがって、ユーザは、音声切替キー１７ｑを操作して所望の音声を選択することにより、その選択された音声を聴取することができる。
【００５３】
なお、デジタル放送の場合、通常、各ＥＳには、それぞれＥＳ名（例えば、日本語、英語等）が付されているので、そのＥＳ名で音声種別を表示することもできる。ＥＳ名が付されていない場合に、上記した「主音声１」、「主音声２」のような表示になる。また、二重音声についても、ＥＳ名に工夫を施した名称で送られることもあるため、その名称を使用することもできる。
【００５４】
また、現在選局している番組に含まれる音声が、音声ＥＳ１と音声ＥＳ２との２つの音声ＥＳを有し、かつ、音声ＥＳ１に音声多重化が図られておらず、音声ＥＳ２に音声多重化が図られている場合、その音声種別は、音声ＥＳ１における主音声１、音声ＥＳ２における主音声２、副音声２、主音声２＋副音声２の４種類となる。
【００５５】
このため、音声種別表示領域７２には、図８に示すように、音声切替キー１７ｑが操作される毎に「主音声１」→「主音声２」→「副音声２」→「主音声２＋副音声２」→「主音声１」のように４種類の音声種別が順次循環的に表示される。したがって、ユーザは、音声切替キー１７ｑを操作して所望の音声を選択することにより、その選択された音声を聴取することができる。
【００５６】
さらに、現在選局している番組に含まれる音声が、音声ＥＳ１と音声ＥＳ２との２つの音声ＥＳを有し、かつ、音声ＥＳ１に音声多重化が図られており、音声ＥＳ２に音声多重化が図られていない場合、その音声種別は、音声ＥＳ１における主音声１、副音声１、主音声１＋副音声１、音声ＥＳ２における主音声２の４種類となる。
【００５７】
このため、音声種別表示領域７２には、図９に示すように、音声切替キー１７ｑが操作される毎に「主音声１」→「副音声１」→「主音声１＋副音声１」→「主音声２」→「主音声１」のように４種類の音声種別が順次循環的に表示される。したがって、ユーザは、音声切替キー１７ｑを操作して所望の音声を選択することにより、その選択された音声を聴取することができる。
【００５８】
また、現在選局している番組に含まれる音声が、音声ＥＳ１と音声ＥＳ２との２つの音声ＥＳを有し、かつ、それぞれの音声ＥＳ１，２に共に音声多重化が図られている場合、その音声種別は、音声ＥＳ１における主音声１、副音声１、主音声１＋副音声１、音声ＥＳ２における主音声２、副音声２、主音声２＋副音声２の６種類となる。
【００５９】
このため、音声種別表示領域７２には、図１０に示すように、音声切替キー１７ｑが操作される毎に「主音声１」→「副音声１」→「主音声１＋副音声１」→「主音声２」→「副音声２」→「主音声２＋副音声２」→「主音声１」のように６種類の音声種別が順次循環的に表示される。したがって、ユーザは、音声切替キー１７ｑを操作して所望の音声を選択することにより、その選択された音声を聴取することができる。
【００６０】
図１１は、上記したような、音声の種別を判別して、その種別に応じた音声切替を行なわせるための処理動作をまとめたフローチャートを示している。すなわち、この処理は、ユーザが番組の視聴中にリモートコントローラ１７の音声切替キー１７ｑを操作することにより開始（ステップＳ１）される。
【００６１】
すると、制御部６３は、ステップＳ２で、現在視聴中の番組についてＥＩＴまたはＰＭＴ等に含まれる音声情報を取得し、ステップＳ３で、先に取得した音声情報に基づいて音声ＥＳが複数であるか否かを判別する。そして、音声ＥＳが複数でないと判断された場合（ＮＯ）、制御部６３は、ステップＳ４で、先に取得した音声情報に基づいて音声多重化が図られているか否かを判別する。
【００６２】
このステップＳ４で音声多重化が図られていないと判断された場合（ＮＯ）、制御部６３は、ステップＳ５で、設定処理１−１を実行して、処理を終了（ステップＳ６）する。すなわち、この場合、音声種別は、主音声のみの１つであるため、音声種別表示領域７２には、図５に示した表示が行なわれて、主音声の再生が行なわれる。
【００６３】
また、上記ステップＳ４で音声多重化が図られていると判断された場合（ＹＥＳ）、制御部６３は、ステップＳ７で、設定処理１−２を実行して、処理を終了（ステップＳ６）する。すなわち、この場合、音声種別は、主音声、副音声、主音声＋副音声の３種類であるため、音声種別表示領域７２には、リモートコントローラ１７の音声切替キー１７ｑが操作される毎に、図６に示した表示が行なわれて、音声切り替えが行なわれる。
【００６４】
さらに、上記ステップＳ３で音声ＥＳが複数であると判断された場合（ＹＥＳ）、制御部６３は、ステップＳ８で、先に取得した音声情報に基づいて音声ＥＳが２つであるか否かを判別する。そして、音声ＥＳが２つであると判断された場合（ＹＥＳ）、制御部６３は、ステップＳ９で、一方の音声ＥＳ１について、先に取得した音声情報に基づいて音声多重化が図られているか否かを判別する。
【００６５】
このステップＳ９で音声多重化が図られていないと判断された場合（ＮＯ）、制御部６３は、ステップＳ１０で、他方の音声ＥＳ２について、先に取得した音声情報に基づいて音声多重化が図られているか否かを判別する。
【００６６】
そして、音声多重化が図られていないと判断された場合（ＮＯ）、制御部６３は、ステップＳ１１で、設定処理２−１を実行して、処理を終了（ステップＳ６）する。すなわち、この場合、音声種別は、音声ＥＳ１の主音声１と音声ＥＳの主音声２の２つであるため、音声種別表示領域７２には、リモートコントローラ１７の音声切替キー１７ｑが操作される毎に、図７に示した表示が行なわれて、音声切り替えが行なわれる。
【００６７】
また、上記ステップＳ１０で音声多重化が図られていると判断された場合（ＹＥＳ）、制御部６３は、ステップＳ１２で、設定処理２−２を実行して、処理を終了（ステップＳ６）する。すなわち、この場合、音声種別は、音声ＥＳ１の主音声１、音声ＥＳ２の主音声２、副音声２、主音声２＋副音声２の４種類であるため、音声種別表示領域７２には、リモートコントローラ１７の音声切替キー１７ｑが操作される毎に、図８に示した表示が行なわれて、音声切り替えが行なわれる。
【００６８】
さらに、上記ステップＳ９で一方の音声ＥＳ１について音声多重化が図られていると判断された場合（ＹＥＳ）、制御部６３は、ステップＳ１３で、他方の音声ＥＳ２について、先に取得した音声情報に基づいて音声多重化が図られているか否かを判別する。
【００６９】
そして、音声多重化が図られていないと判断された場合（ＮＯ）、制御部６３は、ステップＳ１４で、設定処理２−３を実行して、処理を終了（ステップＳ６）する。すなわち、この場合、音声種別は、音声ＥＳ１の主音声１、副音声１、主音声１＋副音声１、音声ＥＳの主音声２の４種類であるため、音声種別表示領域７２には、リモートコントローラ１７の音声切替キー１７ｑが操作される毎に、図９に示した表示が行なわれて、音声切り替えが行なわれる。
【００７０】
また、上記ステップＳ１３で音声多重化が図られていると判断された場合（ＹＥＳ）、制御部６３は、ステップＳ１５で、設定処理２−４を実行して、処理を終了（ステップＳ６）する。すなわち、この場合、音声種別は、音声ＥＳ１の主音声１、副音声１、主音声１＋副音声１、音声ＥＳ２の主音声２、副音声２、主音声２＋副音声２の６種類であるため、音声種別表示領域７２には、リモートコントローラ１７の音声切替キー１７ｑが操作される毎に、図１０に示した表示が行なわれて、音声切り替えが行なわれる。
【００７１】
なお、上記ステップＳ８で音声ＥＳが２つでないと判断された場合（ＮＯ）、つまり、音声ＥＳが３つ以上ある場合、制御部６３は、ステップＳ１６で、設定処理３を実行して、処理を終了（ステップＳ６）する。この設定処理３としては、例えば、視聴中の番組に含まれる全ての音声ＥＳ１，２，……，ｎに共に音声多重化が図られていなければ、その音声種別は、各音声ＥＳ１，２，……，ｎにおける主音声１，２，……，ｎのみのｎ種類となる。
【００７２】
このため、音声種別表示領域７２に、図１２に示すように、音声切替キー１７ｑが操作される毎に「主音声１」→「主音声２」→……→「主音声ｎ」→「主音声１」のようにｎ種類の主音声１，２，……，ｎを順次循環的に表示させるようにすれば、ユーザが、音声切替キー１７ｑを操作して主音声１，２，……，ｎを切り替えることができる。
【００７３】
ただし、全ての音声ＥＳ１，２，……，ｎ、または、その一部に音声多重化が図られている場合には、音声種別の数が多くなって、上記したように、音声切替キー１７ｑが操作される毎に音声種別を順次循環的に表示させて音声切り替えを行なう手法では、実用性が低くなる場合がある。
【００７４】
このような場合には、まず、音声ＥＳ選択画面を表示させて音声ＥＳの選択を行ない、選択された音声ＥＳに音声多重化が図られている場合には、音声選択画面を表示させて、その音声ＥＳから主音声、副音声、主音声＋副音声の選択を行なうというように、２回の選択操作を行なって音声切り替えを行なうことが考えられる。
【００７５】
なお、上記した実施の形態では、現在選局中の番組に含まれる音声が、１つの音声ＥＳを有し、かつ、音声多重化が図られている場合、つまり、音声種別が主音声、副音声、主音声＋副音声の３種類である場合、音声種別表示領域７２に、図６に示したように、音声切替キー１７ｑが操作される毎に３種類の音声種別が順次循環的に表示されて、音声切り替えが行なわれることについて説明している。
【００７６】
しかしながら、この場合には、図１３に示すように、音声種別表示領域７２内に、３種類の音声種別（主音声、副音声、主音声＋副音声）をそれぞれ記載した領域７２ａ，７２ｂ，７２ｃを表示させ、音声切替キー１７ｑが操作される毎に各領域７２ａ〜７２ｃが順次循環的に点灯されるようにしても良い。このようにすれば、ユーザが、予め全ての音声種別を認識することができるので、音声切り替えを行ない易くなる。
【００７７】
また、上記した実施の形態では、現在選局中の番組に含まれる音声が、２つの音声ＥＳ１，２を有し、かつ、共に音声多重化が図られていない場合、つまり、音声種別が主音声１，２の２種類である場合、音声種別表示領域７２に、図７に示したように、音声切替キー１７ｑが操作される毎に２種類の音声種別が交互に表示されて、音声切り替えが行なわれることについて説明している。
【００７８】
しかしながら、この場合にも、図１４に示すように、音声種別表示領域７２内に、２種類の音声種別（主音声１，２）をそれぞれ記載した領域７２ｄ，７２ｅを表示させ、音声切替キー１７ｑが操作される毎に各領域７２ｄ，７２ｅが交互に点灯されるようにしても良い。このようにすれば、ユーザが、予め全ての音声種別を認識することができるので、音声切り替えを行ない易くなる。
【００７９】
また、上記した実施の形態では、現在放送されている、つまり、オンエア中の番組を視聴する際の音声切替について説明したが、これに限らず、デジタル録画［ＴＳ（transport stream）やエンコード録画］した番組の再生時についても、同様な音声切替を行なうことが可能である。録画番組の再生の場合には、ＥＩＴ、ＰＭＴ＋メタデータ（録画時にデジタルテレビジョン放送受信装置１１が管理用に書き込んでいる番組情報）等を用いて、音声種別の判別が行なわれる。
【００８０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００８１】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置が表示する音声種別表示領域の画面上の位置を説明するために示す図。
【図５】同実施の形態におけるデジタルテレビジョン放送受信装置が音声種別表示領域に表示する音声種別の一例を説明するために示す図。
【図６】同実施の形態におけるデジタルテレビジョン放送受信装置が音声種別表示領域に表示する音声種別の他の例を説明するために示す図。
【図７】同実施の形態におけるデジタルテレビジョン放送受信装置が音声種別表示領域に表示する音声種別のさらに他の例を説明するために示す図。
【図８】同実施の形態におけるデジタルテレビジョン放送受信装置が音声種別表示領域に表示する音声種別のさらに他の例を説明するために示す図。
【図９】同実施の形態におけるデジタルテレビジョン放送受信装置が音声種別表示領域に表示する音声種別のさらに他の例を説明するために示す図。
【図１０】同実施の形態におけるデジタルテレビジョン放送受信装置が音声種別表示領域に表示する音声種別のさらに他の例を説明するために示す図。
【図１１】同実施の形態におけるデジタルテレビジョン放送受信装置が行なう主要な処理動作を説明するために示すフローチャート。
【図１２】同実施の形態におけるデジタルテレビジョン放送受信装置が音声種別表示領域に表示する音声種別のさらに他の例を説明するために示す図。
【図１３】同実施の形態におけるデジタルテレビジョン放送受信装置が音声種別表示領域に表示する音声種別のさらに他の例を説明するために示す図。
【図１４】同実施の形態におけるデジタルテレビジョン放送受信装置が音声種別表示領域に表示する音声種別のさらに他の例を説明するために示す図。
【符号の説明】
【００８２】
１１…デジタルテレビジョン放送受信装置、１２…キャビネット、１３…支持台、１４…映像表示器、１５…スピーカ、１６…操作部、１７…リモートコントローラ、１７ｑ…音声切替キー、１８…受光部、１９…第１のメモリカード、２０…第２のメモリカード、２１…第１のＬＡＮ端子、２２…第２のＬＡＮ端子、２３…ＵＳＢ端子、２４…ＩＥＥＥ１３９４端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…ＴＳ復号器、４８…信号処理部、４９…アンテナ、５０…入力端子、５１…チューナ、５２…ＯＦＤＭ復調器、５３…ＴＳ復号器、５４…チューナ、５５…アナログ復調器、５６…グラフィック処理部、５７…音声処理部、５８ａ〜５８ｄ…入力端子、５９…ＯＳＤ信号生成部、６０…映像処理部、６１…出力端子、６２…出力端子、６３…制御部、６３ａ…ＣＰＵ、６３ｂ…ＲＯＭ、６３ｃ…ＲＡＭ、６３ｄ…不揮発性メモリ、６３ｅ…音声判別部、６３ｆ…音声切替制御部、６４…カードＩ／Ｆ、６５…カードホルダ、６６…カードＩ／Ｆ、６７…カードホルダ、６８…通信Ｉ／Ｆ、６９…通信Ｉ／Ｆ、７０…ＵＳＢ Ｉ／Ｆ、７１…ＩＥＥＥ１３９４ Ｉ／Ｆ、７２…音声種別表示領域、７２ａ〜７２ｅ…領域。
【図１】
2009200727.tif 000003
【図２】
2009200727.tif 000004
【図３】
2009200727.tif 000005
【図４】
2009200727.tif 000006
【図５】
2009200727.tif 000007
【図６】
2009200727.tif 000008
【図７】
2009200727.tif 000009
【図８】
2009200727.tif 000010
【図９】
2009200727.tif 000011
【図１０】
2009200727.tif 000012
【図１１】
2009200727.tif 000013
【図１２】
2009200727.tif 000014
【図１３】
2009200727.tif 000015
【図１４】
2009200727.tif 000016